(57)【特許請求の範囲】
【請求項１】
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロットマーカの表示は、前記スロットマーカを前記画面上に表示された前記被測定信号の測定波形上でスロット単位で移動可能に表示する信号分析方法。
【請求項２】
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロット単位の分析情報の表示は、前記記憶部に格納されている前記スロット単位の分析情報をリスト形式として前記画面上に一覧可能に表示する信号分析方法。
【請求項３】
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロットマーカの表示は、複数のスロットを指定するための複数のスロットマーカを前記画面上に表示する信号分析方法。
【請求項４】
前記スロットマーカの表示は、前記複数のスロットマーカを、個々に、前記画面上に表示された前記被測定信号の測定波形上で移動可能に表示する請求項３に記載の信号分析方法。
【請求項５】
前記スロットマーカの表示は、前記複数のスロットマーカを、前記画面上に表示された前記被測定信号の測定波形上で同期させて移動可能に表示する請求項３に記載の信号分析方法。
【請求項６】
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロット単位の分析情報の表示は、予め指定される基準スロットと、前記スロットマーカによって指定された任意のスロットとの相対的な情報を表示する信号分析方法。
【請求項７】
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロットマーカの表示は、
表示幅を設定し、
設定された表示幅でスロットマーカを表示する
を含む信号分析方法。
【請求項８】
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロット単位の分析情報の表示は、前記記憶部に前記スロット単位の分析情報の一つとして格納されている各スロット毎の平均レベルの情報に基づいて、前記画面上に表示された前記被測定信号の測定波形上に当該スロットの平均レベルを表示する信号分析方法。
【請求項９】
スロット単位で分割されたデジタル多重化信号を被測定信号として測定する測定部と、  前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロットマーカ表示制御部は、前記スロットマーカを前記画面上に表示された前記被測定信号の測定波形上でスロット単位で移動可能に表示する信号分析装置。
【請求項１０】
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロット情報表示制御部は、前記記憶部に格納されている前記スロット単位の分析情報をリスト形式として前記画面上に一覧可能に表示する信号分析装置。
【請求項１１】
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロットマーカ表示制御部は、複数のスロットを指定するための複数のスロットマーカを前記画面上に表示する信号分析装置。
【請求項１２】
前記スロットマーカ表示制御部は、前記複数のスロットマーカを、個々に、前記画面上に表示された前記被測定信号の測定波形上で移動可能に表示する請求項１１に記載の信号分析装置。
【請求項１３】
前記スロットマーカ表示制御部は、前記複数のスロットマーカを、前記画面上に表示された前記被測定信号の測定波形上で同期させて移動可能に表示する請求項１１に記載の信号分析装置。
【請求項１４】
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロット情報表示制御部は、予め指定される基準スロットと、前記スロットマーカによって指定された任意のスロットとの相対的な情報を表示する信号分析装置。
【請求項１５】
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロットマーカ表示制御部は、
表示幅を設定する設定部と、
前記設定部によって設定された表示幅でスロットマーカを表示するスロットマーカ表示部と、
を含む信号分析装置。
【請求項１６】
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロット情報表示制御部は、前記記憶部に前記スロット単位の分析情報の一つとして格納されている各スロット毎の平均レベルの情報に基づいて、前記画面上に表示された前記被測定信号の測定波形上に当該スロットの平均レベルを表示する信号分析装置。
【発明の詳細な説明】
【０００１】
＜技術分野＞
本発明はスロット情報表示機能を有する信号分析方法及び信号分析装置に係り、例えば、携帯電話等の移動通信システムに採用されるスロット単位で分割されたデジタル多重化信号を被測定信号として分析する信号分析方法及び信号分析装置に関する。
【０００２】
＜背景技術＞
一般に、携帯電話等の移動通信システムに採用されるスロット単位で分割されたデジタル多重化信号を被測定信号として分析し、その分析結果を波形表示する信号分析装置が知られている。
【０００３】
このような信号分析装置では、分析された信号を波形として画面に表示させることによって信号の波形変化を把握することができ、さらに波形上を移動するマーカを設定し、このマーカによって指定した波形位置の測定数値を画面上に表示させることができる。
【０００４】
このように従来の信号分析装置では、画面に表示された波形に対してマーカを設定し、このマーカによって指定した波形位置の測定数値を画面上に表示させることができるようになっている。
【０００５】
しかしながら、この場合、波形位置を指定するためのマーカは、予め決められた画面に表示された波形に対する移動分解能値単位、すなわち波形を表示する画面の表示単位（例えば、グリッド）で移動されるにすぎない。
【０００６】
また、表示される測定数値は、マーカによって指定された波形位置に該当するグリッド部分についてのみしか表示されない。
【０００７】
従って、従来の信号分析装置では、被測定信号の波形に対して所定のスロット単位の測定数値の情報が必要であっても、それを容易に把握することができないという問題を有している。
【０００８】
＜発明の開示＞
本発明の目的とするところは、以上のような事情を考慮してなされたもので、スロット単位で分割されたデジタル多重化信号を被測定信号として測定し、かつスロット単位で分析し、その測定結果を波形表示する画面上に表示された波形に対してマーカを所定のスロット単位で指定することができるようにすると共に、このマーカで指定された所定のスロット単位毎の分析情報を画面上に表示させることができるようにすることにより、所定のスロット単位の分析結果を容易に読み取り可能としたスロット情報表示機能を有する信号分析方法を提供することである。
【０００９】
本発明の他の目的とするところは、以上のような事情を考慮してなされたもので、スロット単位で分割されたデジタル多重化信号を被測定信号として測定し、かつスロット単位で分析し、その測定結果を波形表示する画面に表示された波形に対してマーカを所定のスロット単位で指定することができるようにすると共に、このマーカで指定された所定のスロット単位毎の分析情報を画面上に表示させることができるようにすることにより、所定のスロット単位の分析結果を容易に読み取り可能としたスロット情報表示機能を有する信号分析装置を提供することである。
【００１０】
上記目的を達成するために、本発明の第１の態様によれば、
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロットマーカの表示は、前記スロットマーカを前記画面上に表示された前記被測定信号の測定波形上でスロット単位で移動可能に表示する信号分析方法が提供される。
【００１１】
上記目的を達成するために、本発明の第２の態様によれば、
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロット単位の分析情報の表示は、前記記憶部に格納されている前記スロット単位の分析情報をリスト形式として前記画面上に一覧可能に表示する信号分析方法が提供される。
【００１２】
上記目的を達成するために、本発明の第３の態様によれば、
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロットマーカの表示は、複数のスロットを指定するための複数のスロットマーカを前記画面上に表示する信号分析方法が提供される。
【００１３】
上記目的を達成するために、本発明の第４の態様によれば、
前記スロットマーカの表示は、前記複数のスロットマーカを、個々に、前記画面上に表示された前記被測定信号の測定波形上で移動可能に表示する第３の態様に従う信号分析方法が提供される。
【００１４】
上記目的を達成するために、本発明の第５の態様によれば、
前記スロットマーカの表示は、前記複数のスロットマーカを、前記画面上に表示された前記被測定信号の測定波形上で同期させて移動可能に表示する第３の態様に従う信号分析方法が提供される。
【００１５】
上記目的を達成するために、本発明の第６の態様によれば、
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロット単位の分析情報の表示は、予め指定される基準スロットと、前記スロットマーカによって指定された任意のスロットとの相対的な情報を表示する信号分析方法が提供される。
【００１６】
上記目的を達成するために、本発明の第７の態様によれば、
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロットマーカの表示は、
表示幅を設定し、
設定された表示幅でスロットマーカを表示する
を含む信号分析方法が提供される。
【００１７】
上記目的を達成するために、本発明の第８の態様によれば、
スロット単位で分割されたデジタル多重化信号を被測定信号として測定し、
前記被測定信号の測定波形を画面上に表示し、
前記被測定信号の測定波形に関する情報を前記スロット単位で分析し、
前記スロット単位で分析された前記被測定信号の測定波形に関する情報を前記スロット単位の分析情報として記憶部に格納し、
任意のスロットを指定するためのスロットマーカを、前記画面上に表示された前記被測定信号の測定波形に対応付けて表示し、
前記画面上に表示された前記スロットマーカによって指定されたスロットに対応する前記スロット単位の分析情報を、前記記憶部から読み出して、前記スロットマーカに対応付けて表示する、
を具備し、
前記スロット単位の分析情報の表示は、前記記憶部に前記スロット単位の分析情報の一つとして格納されている各スロット毎の平均レベルの情報に基づいて、前記画面上に表示された前記被測定信号の測定波形上に当該スロットの平均レベルを表示する信号分析方法が提供される。
【００１８】
上記他の目的を達成するために、本発明の第９の態様によれば、
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロットマーカ表示制御部は、前記スロットマーカを前記画面上に表示された前記被測定信号の測定波形上でスロット単位で移動可能に表示する信号分析装置が提供される。
【００１９】
上記他の目的を達成するために、本発明の第１０の態様によれば、
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロット情報表示制御部は、前記記憶部に格納されている前記スロット単位の分析情報をリスト形式として前記画面上に一覧可能に表示する信号分析装置が提供される。
【００２０】
上記他の目的を達成するために、本発明の第１１の態様によれば、
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロットマーカ表示制御部は、複数のスロットを指定するための複数のスロットマーカを前記画面上に表示する信号分析装置が提供される。
【００２１】
上記他の目的を達成するために、本発明の第１２の態様によれば、
前記スロットマーカ表示制御部は、前記複数のスロットマーカを、個々に、前記画面上に表示された前記被測定信号の測定波形上で移動可能に表示する第１１の態様に従う信号分析装置が提供される。
【００２２】
上記他の目的を達成するために、本発明の第１３の態様によれば、
前記スロットマーカ表示制御部は、前記複数のスロットマーカを、前記画面上に表示された前記被測定信号の測定波形上で同期させて移動可能に表示する第１１の態様に従う信号分析装置が提供される。
【００２３】
上記他の目的を達成するために、本発明の第１４の態様によれば、
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロット情報表示制御部は、予め指定される基準スロットと、前記スロットマーカによって指定された任意のスロットとの相対的な情報を表示する信号分析装置が提供される。
【００２４】
上記他の目的を達成するために、本発明の第１５の態様によれば、
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロットマーカ表示制御部は、
表示幅を設定する設定部と、
前記設定部によって設定された表示幅でスロットマーカを表示するスロットマーカ表示部と、
を含む信号分析装置が提供される。
【００２５】
上記他の目的を達成するために、本発明の第１６の態様によれば、
スロット単位で分割されたデジタル多重化信号を被測定信号として測定する測定部と、
前記測定部によって測定された前記被測定信号の測定波形を画面上に表示する表示制御部と、
前記測定部によって測定された前記被測定信号の測定波形に関する情報を前記スロット単位で分析する分析部と、
前記分析部によって前記スロット単位で分析された前記被測定信号の測定波形に関する情報を前記スロット単位の分析情報として格納する記憶部と、
任意のスロットを指定するためのスロットマーカを、前記表示制御部によって前記画面上に表示された前記被測定信号の測定波形に対応付けて表示するスロットマーカ表示制御部と、
前記スロットマーカ表示制御部によって前記画面上に表示された前記スロットマーカによって指定されたスロットに対応する前記スロット単位の分析情報を、前記記憶部から読み出して、前記スロットマーカに対応付けて表示するスロット情報表示制御部と、
を具備し、
前記スロット情報表示制御部は、前記記憶部に前記スロット単位の分析情報の一つとして格納されている各スロット毎の平均レベルの情報に基づいて、前記画面上に表示された前記被測定信号の測定波形上に当該スロットの平均レベルを表示する信号分析装置が提供される。
【００２６】
＜発明を実施するための最良の形態＞
以下、本発明の各実施の形態を図面を用いて説明する。
【００２７】
（第１の実施の形態）
図１は、本発明の第１の実施の形態に係わる信号分析装置の構成を示すブロック図である。
【００２８】
図１に示すように、本実施形態における信号分析装置は、例えば、携帯電話等の移動通信システムに採用されるスロット単位で分割されたデジタル多重化信号を被測定信号として測定部１で測定すると共に、分析部１１で分析し、その測定結果を表示制御部２６により表示部２８の画面２８ａ上に波形表示し、この画面２８ａ上に表示された波形に対してマーカ表示制御部２４によりマーカを所定のスロット単位で指定することができるようにすると共に、マーカで指定された所定のスロット単位ごとの分析情報をスロット情報表示制御部２２により画面２８ａ上に表示させることができるようにすることにより、所定のスロット単位の分析結果を容易に読み取り可能としたスロット情報表示機能を有している。
【００２９】
すなわち、図１に示すように、本実施形態における信号分析装置は、前記測定部１としての周波数変換部２、掃引制御部４、検波器６、アナログ／ディジタル（Ａ／Ｄ）変換器８、記憶部１０を有していると共に、前記分析部１１としてのスロット検出部１２、スロットカウンタ１４、スロット平均パワー測定部１６、リストデータ記憶部１８、リストデータ処理部２０を有している。
【００３０】
また、本実施形態における信号分析装置は、前記スロット情報表示制御部２２、マーカ表示制御部２４、表示制御部２６、表示部２８の他に、設定部３０としてのスロットリスト設定部３２、スロットマーカ設定部３４、アクティブマーカ設定部３６、同期マーカ設定部３８、マーカタイプ設定部４０、リスト登録設定部４２、リスト削除設定部４４を有していると共に、マーカ位置指定部４６、及びリスト位置指定部４８を有している。
【００３１】
前記測定部１における周波数変換部２は、入力されるスロット単位で分割されたデジタル多重化信号でなる被測定信号に対して、掃引制御部４からの掃引信号により所定の測定分解能及び掃引時間でもって周波数掃引することにより、周波数変換を行って中間周波数信号を検波器６に出力する。
【００３２】
ここで、掃引制御部４は、周波数変換部２に対して、測定部分解能及び掃引時間を制御するための掃引信号を出力する。
【００３３】
そして、検波器６は、周波数変換部２から出力された中間周波数信号を受けて検波し、この検波した信号をＡ／Ｄ変換器８に出力する。
【００３４】
このＡ／Ｄ変換器８は、検波器６が検波したアナログ信号をディジタルデータに変換して記憶部１０に出力する。
【００３５】
この記憶部１０は、Ａ／Ｄ変換器８により変換されたディジタルデータを被測定信号についてのディジタル信号（波形データ）として格納する。
【００３６】
前記分析部１１におけるスロット検出部１２は、記憶部１０に格納されたディジタル信号（波形データ）をもとに、スロット単位で分割されたデジタル多重化信号でなる被測定信号における一定時間間隔のスロットを検出する。
【００３７】
このスロット検出部１２は、スロットカウンタ１４に検出したスロット数を出力し、かつスロット平均パワー測定部１６にスロット立ち上がり時間を通知すると共に、そのスロット立ち上がり時間のデータをリストデータ記憶部１８に記憶させる。
【００３８】
ここで、スロットカウンタ１４は、スロット検出部１２により検出されるスロットをカウントするもので、そのカウント値がスロット番号としてリストデータ記憶部１８に記憶される。
【００３９】
また、スロット平均パワー測定部１６は、スロット検出部１２により検出されたスロットのそれぞれについて、スロット幅の波形の平均パワーを測定する。
【００４０】
このスロット平均パワー測定部１６によって測定された各スロットの平均パワーのデータは、スロットカウンタ１４によってカウントされたスロット番号と対応づけてリストデータ記憶部１８に記憶される。
【００４１】
また、リストデータ記憶部１８は、スロット検出部１２によって検出された各スロットに関するスロット情報を記憶する。
【００４２】
このリストデータ記憶部１８に記憶されるスロット情報には、スロット番号、スロット立ち上がり時間、スロット平均パワーのレベルの各データのほか、スロット間の相対的なデータもスロット毎に含まれている。
【００４３】
そして、リストデータ処理部２０は、設定部３０のリスト登録設定部４２、リスト削除設定部４４における設定に応じて、リストデータ記憶部１８に記憶された各スロットのスロット情報のうち、スロットパワーリストとして一覧表示する対象となるスロット情報の登録、削除を実行する。
【００４４】
また、スロット情報表示制御部２２は、設定部３０のスロットリスト設定部３２においてスロットパワーリストの表示実行が設定された場合に、リストデータ記憶部１８に記憶された各スロットのスロット情報をもとに、各スロットのスロット情報をリストによって一覧表示させるための制御、及びリストデータ記憶部１８に記憶された各スロットのスロット情報をもとに、予め指定される基準スロットと、任意に指定されるスロットとの相対的な情報を表示させるための表示制御を行う。
【００４５】
また、マーカ表示制御部２４は、記憶部１０に記憶されたディジタル信号（波形データ）をもとに画面中に表示される波形に対してマーカを表示し、マーカ位置指定部４６からの指示に応じてマーカを移動させる表示制御を行う。
【００４６】
このマーカ表示制御部２４は、設定部３０におけるスロットマーカ設定部３４、アクティブマーカ設定部３６、同期マーカ設定部３８、マーカタイプ設定部４０による設定に応じたマーカ表示制御を実行する。
【００４７】
そして、マーカ表示制御部２４には、スロット検出部１２によって検出されたスロット単位の所定の幅を持つ帯状のスロットマーカを表示させ、このスロットマーカをマーカ位置指定部４６からの指定に応じてスロット単位で移動させるスロットマーカ表示制御部２４ａと、波形上の特定位置を指定するためのノーマルマーカを表示させ、画面に表示された波形に対して移動分解能値（一定の時間に相当する表示画面上のグリッド）単位で移動させるノーマルマーカ表示制御部２４ｂとが備えられている。
【００４８】
また、表示制御部２６は、表示部２８の画面２８ａ上に表示させる表示内容を制御するもので、記憶部１０に位置されたディジタル信号（波形データ）をもとにした波形、スロット情報表示制御部２２によって表示制御される各スロットのスロット情報のリストやスロットマーカによって波形上で指定されたスロットに関するスロット情報、マーカ表示制御部２４によって表示制御されるマーカ、画面に表示された波形上でのスロットの平均レベルなどを表示させる。
【００４９】
そして、表示部２８は、表示制御部２６によって表示制御される、被測定信号に対する測定結果及び分析結果に関する情報をその画面２８ａ上に表示する。
【００５０】
なお、設定部３０は、スロット情報表示制御部２２によって表示されるスロット情報や、マーカ表示制御部２４により波形に対して表示されるマーカに対する各種設定を行うためのもので、スロットリスト設定部３２、スロットマーカ設定部３４、アクティブマーカ設定部３６、同期マーカ設定部３８、マーカタイプ設定部４０、リスト登録設定部４２、リスト削除設定部４４を含んでいる。
【００５１】
この設定部３０は、画面中に各種設定を行うためのファンクションメニュー、あるいは設定用ウインドウを表示させ、この表示に対して装置に設けられた操作パネル上の所定のキーに対する操作によって入力される設定内容を保持し、その設定内容によって各部を制御する。
【００５２】
ここで、スロットリスト設定部３２は、画面に表示された波形に対応する、スロット検出部１２によって検出された各スロットのスロット情報をリスト形式によって一覧表示させるか否かを設定する。
【００５３】
また、スロットマーカ設定部３４は、画面中に表示される波形に対して、スロットマーカを表示させるか否かを設定するもので、複数のマーカのそれぞれについて設定することができる。
【００５４】
本実施形態では、２つのスロットマーカ（スロットマーカ１，２）を波形上に表示できるものとし、それぞれのスロットマーカについて表示するか否かを設定することができる。
【００５５】
また、アクティブマーカ設定部３６は、マーカ位置指定部４６からの指定に応じて、波形上で移動操作可能なマーカを設定する。
【００５６】
すなわち、スロットマーカ設定部３４によって１つのスロットマーカだけが表示される設定がなされている場合には、そのスロットマーカが操作対象として設定され、２つのスロットマーカが表示される設定がなされている場合には、何れか一方が操作対象として設定されるものとする。
【００５７】
また、同期マーカ設定部３８は、スロットマーカ設定部３４によって２つのスロットマーカが表示される設定がされている場合に、アクティブマーカ設定部３６によってアクティブマーカとして設定されたスロットマーカに対する移動操作に応じて、アクティブマーカとなっていないスロットマーカを連動して波形上で移動させるか否かを設定する。
【００５８】
また、マーカタイプ設定部４０は、画面に表示された波形上にスロットマーカとノーマルマーカの何れを表示させるかを設定する。
【００５９】
また、リスト登録設定部４２は、リストデータ記憶部１８に記憶された各スロットのスロット情報のうち、スロットパワーリストとして一覧表示の対象となるスロット情報を登録するための設定を行う。
【００６０】
また、リスト削除設定部４４は、リストデータ記憶部１８に記憶された各スロットのスロット情報のうち、スロットパワーリストとして一覧表示の対象としないスロット情報を削除するための設定を行う。
【００６１】
また、マーカ位置指定部４６は、マーカ表示制御部２４によって画面中の波形に対して表示されるマーカの位置の移動を指示するためのもので、装置の操作パネル上に設けられたカーソルキーあるいはエンコーダーに対する操作に応じてマーカ位置の移動をマーカ表示制御部２４に対して指示する。
【００６２】
そして、リスト位置指定部４８は、表示制御部２６によって表示されるスロットパワーリストに設けられるカーソルに対して、リスト中での位置の移動を指示するためのもので、この信号分析装置の操作パネル（図示せず）上に設けられたカーソルキーあるいはエンコーダーに対する操作に応じてカーソル位置の移動をスロット情報表示制御部２２に対して指示する。
【００６３】
次に、図１に示す信号分析装置における被測定信号の信号分析結果を表示している画面の一例について、図２及び図３Ａ，Ｂを参照しながら説明する。
【００６４】
図２は、信号の波形に対してスロットマーカが設定された画面の一例を示している。
【００６５】
表示部２８において表示される信号測定装置の表示画面は、複数のエリアが設けられそれぞれのエリアに割り当てられた情報が表示される。
【００６６】
図２に示す例では、測定結果表示ウィンドウ５０やパラメータ設定ウィンドウ５２など、測定結果やパラメータなどの共通機能を表示するためのウインドウが設けられるエリアや、画面やウインドウにおける機能を設定するためのファンクションメニュー５４を表示するためのファンクションメニューエリアが設けられている。
【００６７】
ここで、測定結果表示ウィンドウ５０の波形表示領域５０ａには、表示制御部２６によって、記憶部１０に記憶された被測定信号に対するディジタル信号（波形データ）をもとにした信号波形が表示される。
【００６８】
この場合、図２に示す測定結果表示ウィンドウ５０の波形表示領域５０ａには、２つのスロットマーカ１，２が設定されている。
【００６９】
また、信号波形が表示された測定結果表示ウィンドウ５０の波形表示領域５０ａの上部には、波形に対する各スロットマーカ１，２が示す位置のスロットに関する測定（分析）結果の情報を表示するための測定情報表示領域５０ｂが設けられている。
【００７０】
なお、ファンクションメニュー５４には、スロット情報表示制御部２２及びマーカ表示制御部２４を制御するための各設定部における設定に用いられる複数のメニュー５４ａ、５４ｂ、…、５４ｆが含まれている。
【００７１】
第１のメニュー５４ａは、スロットリスト設定部３２による、スロットパワーリストを表示するか否か（オン／オフ）の設定に用いられる。
【００７２】
第２及び第３のメニュー５４ｂ，５４ｃは、スロットマーカ設定部３４による、波形上に表示するマーカの設定に用いられる。
【００７３】
第２のメニュー５４ｂがマーカ１、第３のメニュー５４ｃがマーカ２についての設定に用いられる。
【００７４】
第４のメニュー５４ｄは、アクティブマーカ設定部３６による、ユーザが操作可能なマーカの設定に用いられるものであって、マーカ１またはマーカ２の何れかを設定することができる。
【００７５】
第５のメニュー５４ｅは、同期マーカ設定部３８による、２つのスロットマーカを連動させるか否か（オン／オフ）の設定に用いられる。
【００７６】
第６のメニューが５４ｆは、マーカタイプ設定部４０による、スロットマーカまたはノーマルマーカの何れのマーカを波形上に表示させるかの設定に用いられる。
【００７７】
そして、ファンクションメニュー５４の各メニューに対応して図示しない操作パネルに設けられているファンクションキーが押下されることにより、それぞれのメニューに対応する設定部によって設定が行われる。
【００７８】
図２に示すファンクションメニュー５４では、スロットパワーリストを表示する（オン）、２つのマーカ１，２を設定する（マーカ１，２がそれぞれオン）、アクティブマーカをマーカ１とする、マーカを同期させない（オフ）、マーカタイプをスロットマーカとする設定がなされている。
【００７９】
なお、スロット情報表示制御部２２、表示制御部２６及びマーカ表示制御部２４は、図２のファンクションメニュー５４に示すような各設定部３２，３４，３６，３８，４０によって設定された設定内容に応じた表示制御を実行する。
【００８０】
次に、図２に示す画面を表示するための各部の動作について説明する。
【００８１】
マーカ表示制御部２４のスロットマーカ表示制御部２４ａは、マーカタイプ設定部４０によりスロットマーカが設定されたことにより、表示制御部２６によって表示される信号の波形上に、例えば、スロット幅とほぼ等しい幅を有する帯状（縦帯形状）のスロットマーカを表示させる。
【００８２】
また、スロットマーカ表示制御部２４ａは、スロットマーカ設定部３４によって２つののマーカの表示が設定されているため、２つのスロットマーカ１，２を表示させている。
【００８３】
スロットマーカ表示制御部２４ａは、各スロットマーカ１，２を異なる色によって表示することにより、ユーザが容易に識別できるようにしている。
【００８４】
また、スロットマーカ表示制御部２４ａは、図２に示すように波形上にスロットマーカ１，２が表示されている状態で、操作パネル上のカーソルキーやエンコーダーが操作されることで、マーカ位置指定部４６によりマーカ位置の移動が指示された場合には、波形のスロット単位でスロットマーカを移動させる。
【００８５】
なお、アクティブマーカ設定部３６によってアクティブマーカがスロットマーカ１に設定されているため、スロットマーカ表示制御部２４ａは、マーカ位置指定部４６からの指示に応じてスロットマーカ１を移動させる。
【００８６】
また、マーカを表示すべき位置を数値を入力して直接的に指定するようにすることもできる。
【００８７】
例えば、図２に示す画面が表示されている状態において、図示しない操作パネルに設けられた所定のキーが押下された場合、マーカ位置指定部４６は、図３Ａまたは図３Ｂに示すような、マーカ位置を数値によって指定するための数値入力ウィンドウ５５ａ，５５ｂを表示させる。
【００８８】
ここで、図３Ａは、ノーマルマーカが表示されている場合の数値入力ウィンドウ５５ａを示している。
【００８９】
また、図３Ｂは、スロットマーカが表示されている場合の数値入力ウィンドウ５５ｂを示している。
【００９０】
図３Ａ，Ｂでは、数値入力ウィンドウ５５ａ，５５ｂは、測定情報表示領域中のアクティブマーカとなっているマーカ（図３Ａ，Ｂではマーカ１）に対応する測定結果を表示している項目の下に近接させて設けられている。
【００９１】
そして、ノーマルマーカ時では、マーカ位置は、数値入力ウィンドウ５５ａにより有効な分解能単位（時間：ｍｓ）での指定が可能であるものとする。
【００９２】
また、スロットマーカ時では、マーカ位置は、数値入力ウィンドウ５５ｂによりスロット単位での指定が可能であるものとする。
【００９３】
そして、マーカ位置指定部４６は、数値入力ウィンドウ５５ａ，５５ｂによって入力された数値をマーカ表示制御部２４に通知する。
【００９４】
このマーカ表示制御部２４は、マーカ位置指定部４６から通知された数値に応じた位置にマーカを移動させる。
【００９５】
一方、スロット情報表示制御部２２は、マーカ表示制御部２４（スロットマーカ表示制御部２４ａ）によって波形上の何れのスロットの位置にスロットマーカが移動されているかを、リストデータ記憶部１８に記憶された各スロットのスロット情報を参照しながら判別し、各スロットマーカ１，２が示すスロットのスロット情報をリストデータ記憶部１８から読み出し、測定情報表示領域５０ｂにおいて表示させる。
【００９６】
この測定情報表示領域５０ｂに設けられる表示項目には、スロットマーカ１，２のそれぞれについて、スロットマーカが示すスロットの立ち上がり時間、スロット番号、スロット平均パワーレベルが設けられている。
【００９７】
また、図２に示すように、２つのスロットマーカ１，２が設定されている場合には、測定情報表示領域５０ｂに設けられる表示項目としてスロットマーカ１，２との間のスロットの相対値も表示される。
【００９８】
ここでは、アクティブマーカの選択状態に関係なく、スロットマーカ１に対するスロットマーカ２（２−１）の相対時間、スロット番号、及びスロット平均パワーレベルが表示される。
【００９９】
図４は、測定結果表示ウィンドウ５０に表示された波形に対応する、各スロットのスロット情報がリストによって一覧表示されたリスト表示ウィンドウ５６が設けられた画面２８ａの一例を示している。
【０１００】
ここで、スロット情報表示制御部２２は、スロットリスト設定部３２によりスロットパワーリストの表示の実行が設定されている場合には、画面２８ａ中に図４に示すようなリスト表示ウィンドウ５６を設ける。
【０１０１】
そして、スロット情報表示制御部２２は、そのリスト表示ウィンドウ５６中にリストデータ記憶部１８に記憶された各スロットのスロット情報をもとに作成したスロットパワーリストを表示させる。
【０１０２】
図４では、スロット番号０〜４のスロットパワーリストが表示され、スロット番号２の欄に斜線を施してカーソル５６ｈが位置していることを示している。
【０１０３】
この場合、後述するようなカーソル５６ｈの移動によって他のスロット番号のスロットパワーリストを表示させることもできる。
【０１０４】
図５は、上記スロットパワーリストの詳細について示している。
【０１０５】
すなわち、図５に示すように、スロットパワーリストには、スロット番号（Ｓｌｏｔ  Ｎｏ）５６ａ、スロットの立ち上がり時間（Ｔｉｍｅ：ｍｓ）５６ｂ、スロットの平均パワーレベル（Ｌｅｖｅｌ：ｄＢｍ）５６ｃ、基準スロットに対する相対スロット番号（Ｓｌｏｔ（Ｒｅｌ））５６ｄ、基準スロットに対する相対立ち上がり時間（Ｔｉｍｅ（Ｒｅｌ）：ｍｓ）５６ｅ、及び基準スロットに対する相対平均パワーレベル（Ｌｅｖｅｌ（Ｒｅｌ）：ｄＢ）５６ｆの各項目が設けられている。
【０１０６】
この場合、スロット情報表示制御部２２は、スロット番号５６ａ、スロットの立ち上がり時間５６ｂ、スロットの平均パワーレベル５６ｃの各項目については、リストデータ記憶部１８に格納された各スロットのスロット情報（絶対値データ）を登録する。
【０１０７】
また、スロット情報表示制御部２２は、基準スロットに対する項目５６ｄ、５６ｅ、５６ｆについては、基準スロットが設定されることにより、その基準スロットのスロット情報をもとに各スロットに対するデータ（相対値データ）を算出して登録する。
【０１０８】
また、スロット情報表示制御部２２は、スロットパワーリストに対して、リスト１行分のカーソル５６ｈを設定する。
【０１０９】
そして、スロット情報表示制御部２２は、リスト位置指定部４８から図示しない操作パネルに設けられたカーソルキーなどの操作に伴うカーソル移動の指示があった場合、リスト中で１行単位でカーソル５６ｈを移動させる。
【０１１０】
また、図示しない操作パネルに設けられた特定のキー（セットキー、エンターキー、エンコーダボタンなど）の押下により基準スロットの選択が指示されると、スロットリスト設定部３２は、その時点のカーソル５６ｈがあるスロット番号のスロットを基準スロットとして設定する。
【０１１１】
これにより、基準スロットであることを表すように基準スロット記号５６ｇ（アスタリスク「＊」）がスロット番号５６ａの項目に表示される。
【０１１２】
この基準スロットの設定に伴って、スロット情報表示制御部２２により、各スロットに対する相対値データが算出されて、スロットパワーリストに登録されるようになされているものとする。
【０１１３】
こうして、スロットパワーリストの表示の実行を設定しておくことにより、信号波形表示領域において波形が表示対象となっている信号の各スロットについてのスロット情報を、スロットパワーリストに一覧表示させることができる。
【０１１４】
これにより、ユーザは、瞬時にして被測定信号の測定結果をスロット単位で把握することができるようになる。
【０１１５】
また、任意のスロットを基準スロットとして設定し、この基準スロットに対する相対的な各スロットに対する情報もスロットパワーリストに表示させることにより、ユーザがそれを把握することができるようになる。
【０１１６】
次に、スロットパワーリストに表示されるスロットを任意に登録あるいは削除する場合について説明する。
【０１１７】
図４に示す表示画面２８ａのファンクションメニューエリアには、リスト登録設定部４２により、リスト表示ウィンドウ５６に表示されるリストにスロット情報を登録するためのメニュー５８ａと、リストからスロット情報を削除するためのメニュー５８ｂを含むファンクションメニュー５８が表示されている。
【０１１８】
このファンクションメニュー５８のメニュー５８ａに対応するファンクションキー（図示せず）が押下された場合には、リスト登録設定部４２は、図６Ａに示すような、スロットパワーリストにスロットを登録するための登録用ウィンドウ５７ａを画面２８ａ中に表示させる。
【０１１９】
この登録用ウィンドウ５７ａには、登録対象とするスロットの範囲を指定するための始点スロット番号入力欄７０と、終点スロット番号入力欄７２とが設けられている。
【０１２０】
そして、リスト登録設定部４２は、始点スロット番号入力欄７０と終点スロット番号入力欄７２とに、図示しない操作パネルに設けられた数字キーなどの操作によってそれぞれ数値が入力されると、その数値が示す２つのスロットの間の全てのスロットをスロットパワーリストに登録して表示対象とする。
【０１２１】
同様にして、ファンクションメニュー５８のメニュー５８ｂに対応するファンクションキー（図示せず）が押下された場合、リスト登録設定部４２は、図６Ｂに示すような、スロットパワーリストからスロットを削除するための削除用ウィンドウ５７ｂを画面２８ａ中に表示させる。
【０１２２】
この削除用ウィンドウ５７ｂには、削除対象とするスロットの範囲を指定するための始点スロット番号入力欄７０と、終点スロット番号入力欄７２とが設けられている。
【０１２３】
そして、リスト削除設定部４４は、始点スロット番号入力欄７０と終点スロット番号入力欄７２に、図示しない操作パネルに設けられた数字キーなどの操作によってそれぞれ数値が入力されると、その数値が示す２つのスロットの間の全てのスロットをスロットパワーリストから削除する。
【０１２４】
こうして、スロットパワーリストに登録されるスロットを任意に登録／削除することができるようになり、スロットパワーリストによってスロット情報を一覧表示させた場合に、注目するスロットに関するスロット情報のみが表示されるようにするといった、ユーザの目的に合わせてスロットパワーリストを使用することができるようになる。
【０１２５】
次に、同期マーカ設定部３８によって２つのスロットマーカ１，２を同期させる設定がされている場合について、図７Ａ，Ｂ，Ｃを参照しながら説明する。
【０１２６】
なお、図７Ａ，Ｂ，Ｃでは、信号波形表示領域のみを示している。
【０１２７】
図７Ａにおいて、スロットマーカ１がアクティブマーカとして設定されている時に、アクティブマーカ（スロットマーカ１）を右に移動させる指示があったものとする。
【０１２８】
この指示に応じて、スロットマーカ表示制御部２４ａは、スロットマーカ１を右に移動させると共に、スロットマーカ１との間隔を同じく保ちながらスロットマーカ２も右に連動して移動させる。
【０１２９】
そして、このように連動して移動させる際、スロットマーカ２が信号波形表示領域からはみ出る場合には、図７Ｂに示すように、信号波形表示領域の端に張り付かせて（端部に位置を固定して）表示させる。
【０１３０】
なお、スロットマーカ２が領域端部に張り付いた状態でもアクティブマーカ（スロットマーカ１）は、信号波形表示領域で移動できるようになされているものとする。
【０１３１】
また、スロットマーカ２が領域端部に張り付いた状態で、アクティブマーカ（スロットマーカ１）が左に移動され、スロットマーカ１とスロットマーカ２との間隔が元に戻ると、スロットマーカ表示制御部２４ａは、再度、２つのスロットマーカ１，２を連動して移動させる。
【０１３２】
一方、スロット情報表示制御部２２は、スロットマーカ表示制御部２４ａによってスロットマーカ１，２が連動して移動される場合、その移動に伴って、スロットマーカ１，２のそれぞれが示すスロットのスロット情報を、順次、測定結果表示領域において表示させる。
【０１３３】
また、スロット情報表示制御部２２は、スロットマーカ１が示すスロットに対するスロットマーカ２が示すスロットの相対値データも表示する。
【０１３４】
こうして、２つのスロットマーカ１，２を連動して移動させ、それぞれのスロットマーカ１，２が示すスロットの情報を表示させるようになされていることにより、ユーザが所定のスロット間隔の各スロットのスロット情報と相対値データとを、連続的に容易に把握することができるようになる。
【０１３５】
次に、信号波形表示領域において表示される波形上に、スロット毎の平均レベルを表示する場合について、図８を参照しながら説明する。
【０１３６】
表示制御部２６は、リストデータ記憶部１８に記憶された各スロットのスロット平均パワーの情報をもとに、信号波形上にスロットの平均レベルを表す表示（平均レベル表示８０）を、図８に示すようにして表示する。
【０１３７】
なお、図８では、スロットマーカ１，２によって位置が指定されたスロットについてのみ、平均レベル表示８０をしているが、スロットマーカ１，２による指定に関係なく、信号波形と共に全てのスロットに対して、平均レベル表示をするようにしても良い。
【０１３８】
表示制御部２６によって、平均レベル表示８０を波形表示に付加させるか否かは、ファンクションメニューなどによって任意に設定することができるようになされているものとする。
【０１３９】
表示制御部２６は、この設定内容を参照し、平均レベル表示８０を波形表示に付加する設定がなされている場合には、図８に示すような表示を実行する。
【０１４０】
こうして、平均レベルを波形上に表示させることにより、ユーザは信号波形の変化を容易に把握しやすくなる。
【０１４１】
なお、前述した説明では、スロットマーカは、信号の波形に対して１スロットに対応する幅を持ち、１スロット単位で移動されるものとしているが、スロットマーカの幅を任意に変更できるようにしても良い。
【０１４２】
例えば、スロット幅設定用のウィンドウを表示させ、そのウィンドウで指定された幅、例えば複数スロット分の幅に応じたスロットマーカを設定する。
【０１４３】
スロットマーカ表示制御部２４ａは、この複数スロット幅のスロットマーカを、マーカ位置指定部４６からの時に応じて、スロットマーカの幅単位で移動させるか、あるいは１スロット単位で移動させるようにしても良い。
【０１４４】
この時、スロット情報表示制御部２２は、スロットマーカ表示制御部２４ａによって表示制御される幅広のスロットマーカが示す範囲の複数スロット分の測定結果を、リストデータ記憶部１８に登録された各スロットのスロット情報をもとに算出して表示するようにしても良い。
【０１４５】
なお、スロットマーカの幅は、複数スロット分の幅とする以外の設定によって指定できるようにしても良い。
【０１４６】
また、信号分析装置には、測定結果表示ウィンドウ５０の信号波形表示領域において表示される信号波形の測定時間を変更する機能を設けることもできる。
【０１４７】
そして、信号波形表示領域に対して信号波形の測定時間を変更した場合、画面中の波形の表示ピッチも変更される。
【０１４８】
従って、スロットマーカ表示制御部２４ａは、信号波形の測定時間の変更に伴って、波形上に表示するスロットマーカの幅も、変更後の波形のスロット幅に応じて変更し、マーカ位置指定部４６からの指示に応じてスロットマーカの表示位置を変更する場合も変更後のスロットの幅単位で移動させる。
【０１４９】
なお、画面上では、タイムスパン分の観測データ（トリガスパンは画面上の表示単位であって、実際にはトリガがかかった時間を基準として、遅延時間との兼ね合いで決定される）を表示することになり、スロットマーカの幅は、タイムスパンの設定に連動することになる。
【０１５０】
すなわち、前述した実施の形態では、タイムスパンの設定の変化により、スロットマーカの幅及びスロットマーカの移動単位（ドット）が決定されるようになされているものとする。
【０１５１】
また、前述した説明では、２つのスロットマーカが設定可能であるものとして説明しているが、３つ以上のスロットマーカを設定できるようにしても良い。
【０１５２】
この場合、任意のスロットマーカの組み合わせによってスロットを指定し、そのスロット間の測定結果が測定結果表示領域において表示されるようにしても良い。
【０１５３】
（第２の実施の形態）
次に、前述したタイムスパンの設定の変化により、スロットマーカの幅及びスロットマーカの移動単位（ドット）が決定されるようになされている第２の実施の形態について図９を参照して説明する。
【０１５４】
図９は、本発明の第２の実施の形態に係わる信号分析装置の構成を示すブロック図である。
【０１５５】
図９において、前述した第１の実施の形態の図１と同様に構成される部分については説明を省略し、異なる部分についてのみ説明する。
【０１５６】
すなわち、図９においては、設定部３０内に測定範囲設定部５０が新たに設けられている。
【０１５７】
そして、この測定範囲設定部５０からの測定範囲設定信号は、前記掃引制御部４に供給されるようになされている。
【０１５８】
また、この掃引制御部４は、前述したように掃引制御信号を前記周波数変換部２に供給すると共に、新たに測定範囲を示す情報を前記記憶部１０、前記スロット情報表示制御部２２及びマーカ表示制御部２４にも供給されるようになされている。
【０１５９】
次に、以上のように構成される第２の実施の形態による信号分析装置において、前述したタイムスパンの設定の変化により、スロットマーカの幅及びスロットマーカの移動単位（ドット）が決定される動作について説明する。
【０１６０】
まず、測定範囲設定部５０によって所望の測定範囲が、時間または周波数をパラメータとして設定される。
【０１６１】
この測定範囲設定部５０から所望の測定範囲を設定するための掃引制御信号が供給される掃引制御部４は、測定範囲設定部５０で設定された所望の測定範囲を掃引するための掃引信号を周波数変換部２に対して出力する。
【０１６２】
前記測定部１における周波数変換部２は、入力されるスロット単位で分割されたデジタル多重化信号でなる被測定信号を受信する。
【０１６３】
また、掃引制御部４は、同時に、その測定範囲を示す情報を前記記憶部１０、前記スロット情報表示制御部２２及びマーカ表示制御部２４に供給する。
【０１６４】
前記記憶部１０及び前記スロット情報表示制御部２２は、この測定範囲を示す情報を、前記Ａ／Ｄ変換器８により変換されたディジタルデータを被測定信号についてのディジタル信号（波形データ）として格納し、被測定信号のスロット情報を表示する際のアドレス情報として利用する。
【０１６５】
また、マーカ表示制御部２４は、前記スロットマーカ設定部３４からのスロットマーカの幅及びスロットマーカの移動ステップの幅を示す情報と、掃引制御部４からの所望の測定範囲を示す情報を受けて、表示上のスロットマーカの幅とスロットマーカの移動ステップの幅を決定し、表示制御部２６を介して表示部２８の画面２８ａ上に表示する。
【０１６６】
これによって、測定範囲設定部５０で、測定範囲を、例えば、図４の−０．５ｍｓから−２１．５ｍｓの掃引幅を１０．５ｍｓから２１．５ｍｓに拡大表示したとしてもスロットマーカの幅及びスロットマーカの移動ステップの幅を自動的に連動させて拡大表示させることができる。
【０１６７】
なお、上述した実施形態において記載した手法は、コンピュータに実行させることのできるプログラムとして、例えば、磁気ディスク（フレキシブルディスク、ハードディスク等）、光ディスク（ＣＤ−ＲＯＭ、ＤＶＤ等）、半導体メモリなどの記録媒体に書き込んで各種装置に提供することができると共に、通信媒体により伝送して各種装置に提供することも可能である。
【０１６８】
本実施形態において記載した手法を実現するコンピュータは、記録媒体に記録されたプログラムを読み込み、または通信媒体を介してプログラムを受信し、このプログラムによって動作が制御されることにより、上述した各種の処理を実行する。
【０１６９】
以上、詳述したように、本発明によれば、スロットマーカによって画面に表示された波形に対して所定の間隔毎に指定することができると共に、所定間隔毎の測定数値の情報を表示させることができるようにすることにより、信号分析結果を容易に読み取ることが可能となるものである。
【０１７０】
従って、以上、詳述したように、本発明によれば、スロット単位で分割されたデジタル多重化信号を被測定信号として分析し、その分析結果を波形表示する画面に表示された波形に対してマーカを所定のスロット単位で指定することができるようにすると共に、所定のスロット単位ごとの分析情報を画面上に表示させることができるようにすることにより、所定のスロット単位の信号分析結果を容易に読み取ることが可能としたスロット情報表示機能を有する信号分析方法を提供することができる。
【０１７１】
また、本発明によれば、スロット単位で分割されたデジタル多重化信号を被測定信号として分析し、その分析結果を波形表示する画面に表示された波形に対してマーカを所定のスロット単位で指定することができるようにすると共に、所定のスロット単位ごとの分析情報を画面上に表示させることができるようにすることにより、所定のスロット単位の信号分析結果を容易に読み取ることが可能としたスロット情報表示機能を有する信号分析装置を提供することができる。
【図面の簡単な説明】
【図１】  図１は、本発明の第１の実施の形態に係わる信号分析装置の構成を示すブロック図であり、
【図２】  図２は、図１に示す信号分析装置において、被測定信号の波形に対してスロットマーカが設定された画面の一例を説明するために示す図であり、
【図３Ａ】  図３Ａは、図１に示す信号分析装置において、スロットマーカを表示すべき位置を、数値の入力により直接的に指定する場合に用いるウィンドウの例を説明するために示す図であり、
【図３Ｂ】  図３Ｂは、図１に示す信号分析装置において、スロットマーカを表示すべき位置を、数値の入力により直接的に指定する場合に用いるウィンドウの例を説明するために示す図であり、
【図４】  図４は、図１に示す信号分析装置において、各スロットのスロット情報がリストによって一覧表示されたリスト表示ウィンドウが設けられた画面の一例を説明するために示す図であり、
【図５】  図５は、図１に示す信号分析装置において、スロットパワーリストの詳細について説明するために示す図であり、
【図６Ａ】  図６Ａは、図１に示す信号分析装置において、スロットパワーリストにスロットを登録／削除する場合に用いるウィンドウの例を説明するために示す図であり、
【図６Ｂ】  図６Ｂは、図１に示す信号分析装置において、スロットパワーリストにスロットを登録／削除する場合に用いるウィンドウの例を説明するために示す図であり、
【図７Ａ】  図７Ａは、図１に示す信号分析装置において、同期マーカ設定部３８によって２つのスロットマーカ１，２を同期させる設定がなされている場合について説明するために示す図であり、
【図７Ｂ】  図７Ｂは、図１に示す信号分析装置において、同期マーカ設定部３８によって２つのスロットマーカ１，２を同期させる設定がなされている場合について説明するために示す図であり、
【図７Ｃ】  図７Ｃは、図１に示す信号分析装置において、同期マーカ設定部３８によって２つのスロットマーカ１，２を同期させる設定がなされている場合について説明するために示す図であり、
【図８】  図８は、図１に示す信号分析装置において、信号波形表示領域において表示される波形上にスロット毎の平均レベルを表示する場合を説明するために示す図であり、
【図９】  図９は、本発明の第２の実施の形態に係わる信号分析装置の構成を示すブロック図である。
【図１】
0003837133.tif 000002
【図２】
0003837133.tif 000003
【図３Ａ】
0003837133.tif 000004
【図３Ｂ】
0003837133.tif 000005
【図４】
0003837133.tif 000006
【図５】
0003837133.tif 000007
【図６Ａ】
0003837133.tif 000008
【図６Ｂ】
0003837133.tif 000009
【図７Ａ】
0003837133.tif 000010
【図７Ｂ】
0003837133.tif 000011
【図７Ｃ】
0003837133.tif 000012
【図８】
0003837133.tif 000013
【図９】
0003837133.tif 000014